(57)【要約】【課題】通常モードのパターン毎に、必要な機能を使用可能にしながら、タッチパネルとバックライトの部分的な制御により消費電力を低減できる画像形成装置等を提供する。【解決手段】一の表示領域が複数に分割され、分割された表示領域毎に、通常モードのときに必要となる機能がそれぞれ割り当てられて表示される表示部と、分割された表示領域毎に対応して設けられたバックライトと、分割された表示領域毎に対応して設けられ、割り当てられた機能を設定する操作を受け付け可能なタッチパネルと、通常モードを細分化した複数のパターンと通常モードのときに必要となる複数の機能とに応じてバックライト及びタッチパネルのオン、オフの設定が予め定義された定義データと、認識した通常モードのパターンとを基にバックライト及びタッチパネルのオン、オフを制御する制御部と、を有する。【選択図】図１
2011095913.tif 000002
【特許請求の範囲】
【請求項１】
消費電力を抑えた状態にする省エネモードと、通常の動作を行える状態にする通常モードとの切り替えが可能な画像形成装置であって、
一の表示領域が複数に分割され、分割された表示領域毎に、前記通常モードのときに必要となる機能がそれぞれ割り当てられて表示される表示部と、
前記分割された表示領域毎に対応して設けられたバックライトと、
前記分割された表示領域毎に対応して設けられ、前記割り当てられた機能を設定する操作を受け付け可能なタッチパネルと、
前記バックライト及び前記タッチパネルのオン、オフを部分的に制御可能な制御部と、
前記通常モードを細分化した複数のパターンと、前記通常モードのときに必要となる複数の機能とに応じて、前記バックライト及び前記タッチパネルのオン、オフの設定が予め定義された定義データが記憶された記憶部と、を有し、
前記制御部は、
ユーザの操作の受け付け状態及び前記画像形成装置のデバイスからの通知に基づいて、前記通常モードのパターンを認識し、
前記認識したパターンと前記定義データに基づいて、前記バックライト及び前記タッチパネルのオン、オフを制御することを特徴とする画像形成装置。
【請求項２】
前記通常モードを細分化した複数のパターンは、
所定のアプリが実行される前のスタンバイのとき、所定のアプリ実行中のとき、所定のアプリ実行中に他の操作を受け付けたとき、エラーが発生したときの４つのパターンであることを特徴とする請求項１記載の画像形成装置。
【請求項３】
前記制御部による制御パターンは、
前記タッチパネルがオン及び前記バックライトがオン、前記タッチパネルがオフ及び前記バックライトがオフ、前記タッチパネルがオン及び前記バックライトがオフ、前記タッチパネルがオフ及び前記バックライトがオンの４種類であり、
前記制御部は、
前記分割された表示領域のうち所定数の表示領域を併せて、前記制御パターンのうち同じ種類のものを集約して行うことを特徴とする請求項１又は２記載の画像形成装置。
【請求項４】
前記制御部は、
現在の消費電力を算出し、
前記算出された消費電力と、予め設定された消費電力とを比較し、
前記算出された消費電力が前記予め設定された消費電力より大きい場合に、前記バックライト及び前記タッチパネルのオン、オフを制御することを特徴とする請求項１から３のいずれか１項に記載の画像形成装置。
【請求項５】
前記制御部は、
前記算出された消費電力が前記予め設定された消費電力より大きい場合に、前記バックライト及び前記タッチパネルのオン、オフの制御が実行される設定を行うように、ユーザに促す表示を行い、
前記ユーザにより前記設定が行われた場合に、前記バックライト及び前記タッチパネルのオン、オフの制御を実行することを特徴とする請求項４記載の画像形成装置。
【請求項６】
消費電力を抑えた状態にする省エネモードと、通常の動作を行える状態にする通常モードとの切り替えが可能な画像形成装置の省電力方法であって、
前記画像形成装置は、
一の表示領域が複数に分割され、分割された表示領域毎に、前記通常モードのときに必要となる機能がそれぞれ割り当てられて表示される表示部と、
前記分割された表示領域毎に対応して設けられたバックライトと、
前記分割された表示領域毎に対応して設けられ、前記割り当てられた機能を設定する操作を受け付け可能なタッチパネルと、を有しており、
前記通常モードを細分化した複数のパターンと、前記通常モードのときに必要となる複数の機能とに応じて、前記バックライト及び前記タッチパネルのオン、オフの設定が定義された定義データを予め記憶しておき、
ユーザの操作の受け付け状態及び前記画像形成装置のデバイスからの通知に基づいて、前記通常モードのパターンを認識し、
前記認識したパターンと前記定義データに基づいて、前記バックライト及び前記タッチパネルのオン、オフを制御することを特徴とする画像形成装置の省電力方法。
【発明の詳細な説明】
【技術分野】
【０００１】
本発明は、操作部や表示部の消費電力を削減する画像形成装置及びその省電力方法に関する。
【背景技術】
【０００２】
昨今、電子写真方式の画像形成装置では、省エネへの要望が強くなる一方で、操作パネル（操作部、表示部）のインテリジェント化として、例えば液晶のカラー化やタッチパネル化などが進められ、それにより増加した消費電力を無視できなくなっている。
【０００３】
そこで、操作パネルにおいて、省エネモード（消費電力を抑えた省エネ状態にするモード）や、アプリのモード（コピー、スキャナ、ＦＡＸなど）に応じてバックライト全体をオフする技術が知られている。
【０００４】
また、特許文献１には、消費電力効率を高めることを目的としたバックライト装置について開示されている。特許文献１のバックライト装置では、表示部分の全てのバックライトをオン、オフする従来の構成を、省エネモード時において、部分的にオン、オフする構成に変更している。すなわち、省エネモード中において、エラー表示などバックライトをオンしておく必要がある表示部分については部分的に電源を供給し、残りの表示部分には電源を供給しないようにすることで、消費電力を減らしている。
【発明の概要】
【発明が解決しようとする課題】
【０００５】
しかし、特許文献１では、あくまで省エネモード中にバックライトを部分的にオフすることについてのみ言及されており、省エネモード中でなく、例えば通常モード中（省エネ状態以外の通常動作状態にするモード）に必要な機能をオンにしながら消費電力を低減するということについては考慮されていない。通常モードを細分化すると４パターン（スタンバイのとき、所定のアプリ実行中のとき、所定のアプリ実行中に他の操作を受け付けたとき、エラーが発生したとき）に分けられるが、特許文献１では、これら４パターンを通常モードという大まかな１つのパターンとして捉えている。よって、特許文献１の技術では、通常モードの４パターンの全てにおいて、全ての機能が常にイネーブルされることになり、必ずしも必要でない機能までもがイネーブルされることになるため、その分の消費電力が無駄になるという問題が生じる。
【０００６】
本発明は、上記事情に鑑みてなされたものであり、通常モードを複数のパターンを備えたものとして捉え、通常モードのパターン毎に、必要な機能を使用可能にしながら、タッチパネルとバックライトの部分的な制御により消費電力を低減できる画像形成装置及びその省電力方法を提供することを目的とする。
【課題を解決するための手段】
【０００７】
かかる目的を達成するために、本発明の画像形成装置は、消費電力を抑えた状態にする省エネモードと、通常の動作を行える状態にする通常モードとの切り替えが可能な画像形成装置であって、一の表示領域が複数に分割され、分割された表示領域毎に、通常モードのときに必要となる機能がそれぞれ割り当てられて表示される表示部と、分割された表示領域毎に対応して設けられたバックライトと、分割された表示領域毎に対応して設けられ、割り当てられた機能を設定する操作を受け付け可能なタッチパネルと、バックライト及びタッチパネルのオン、オフを部分的に制御可能な制御部と、通常モードを細分化した複数のパターンと、通常モードのときに必要となる複数の機能とに応じて、バックライト及びタッチパネルのオン、オフの設定が予め定義された定義データが記憶された記憶部と、を有し、制御部は、ユーザの操作の受け付け状態及び画像形成装置のデバイスからの通知に基づいて、通常モードのパターンを認識し、認識したパターンと定義データに基づいて、バックライト及びタッチパネルのオン、オフを制御することを特徴とする。
【０００８】
本発明の画像形成装置の省電力方法は、消費電力を抑えた状態にする省エネモードと、通常の動作を行える状態にする通常モードとの切り替えが可能な画像形成装置の省電力方法であって、画像形成装置は、一の表示領域が複数に分割され、分割された表示領域毎に、通常モードのときに必要となる機能がそれぞれ割り当てられて表示される表示部と、分割された表示領域毎に対応して設けられたバックライトと、分割された表示領域毎に対応して設けられ、割り当てられた機能を設定する操作を受け付け可能なタッチパネルと、を有しており、通常モードを細分化した複数のパターンと、通常モードのときに必要となる複数の機能とに応じて、バックライト及びタッチパネルのオン、オフの設定が定義された定義データを予め記憶しておき、ユーザの操作の受け付け状態及び画像形成装置のデバイスからの通知に基づいて、通常モードのパターンを認識し、認識したパターンと定義データに基づいて、バックライト及びタッチパネルのオン、オフを制御することを特徴とする。
【発明の効果】
【０００９】
本発明によれば、通常モードのパターン毎に、必要な機能を使用可能にしながら、タッチパネルとバックライトの部分的な制御により消費電力を低減できる。
【図面の簡単な説明】
【００１０】
【図１】本発明の一実施形態である画像形成装置の構成例を示すブロック図である。
【図２】（ａ）は従来の一般的な画像形成装置のタッチパネル構成を示す図であり、（ｂ）は本発明の実施形態である画像形成装置のタッチパネル構成を示す図である。
【図３】本発明の一実施形態である画像形成装置の操作部の例を示す図である。
【図４】本発明の一実施形態である画像形成装置のコピーモード中に必要となる機能を、コピーモードを細分化した複数のパターン毎に、どのようにオン、オフするかについて定義した例を示す図である。
【図５】本発明の一実施形態である画像形成装置の動作例を示すフローチャートである。
【図６】本発明の一実施形態である画像形成装置の操作部におけるオン・オフ制御の別の例を示す図である。
【発明を実施するための形態】
【００１１】
以下、本発明を実施するための形態（実施形態）について添付図面を参照して詳細に説明する。
【００１２】
本実施形態の画像形成装置及びその省電力方法は、通常モードのそれぞれの状態（パターン）に応じて、必要な機能を使用可能にしつつ、バックライト、タッチパネルを部分的にオン・オフ制御することを特徴としている。本実施形態において、通常モードとは、消費電力を抑えた状態にする省エネモード以外のモードであり、通常の動作（アプリの動作）が行える状態にするモードのことをいう。
【００１３】
図１は、本実施形態の画像形成装置（ＭＦＰ：Multi Function Peripheral）の全体構成の一例を示すブロック図である。本実施形態のＭＦＰは、ＭＦＰ本体１と、操作部２とを有する。
【００１４】
ＭＦＰ本体１は、画像処理の対象となる画像を原稿等から読み取る画像読取手段（スキャナ）１２と、読み取った画像等を媒体等に書き込む（形成する）画像書込手段（プロッタ）１１と、これら各手段１１、１２及び操作部２を制御するＭＦＰ制御部１０とを有する。本実施形態のＭＦＰは、省エネモードと通常モードの切り替えが可能であり、ＭＦＰ制御部１０によって切り替え制御が行われる。
【００１５】
操作部２は、操作部制御部２０、ＲＯＭ２１、ＲＡＭ２２、電源制御手段２３、バックライト・表示手段２４、タッチパネル２５、ハードキー２６、データバス２７、２８、２９を有する。
【００１６】
バックライト・表示手段２４は、例えばＬＣＤ（Liquid Crystal Display）などの表示装置である。このバックライト・表示手段２４は、表示領域（表示部）が複数に分割されており（例として９分割）、各表示領域に対応してバックライトが備えられている。そして、バックライト・表示手段２４は、特許文献１に開示の技術と同様に、表示領域の一部の電気信号の供給を止めることで部分的にオン、オフできるようになっている。
【００１７】
タッチパネル２５は、タッチパネル領域が複数に分割されており（例として９分割）、バックライト・表示手段２４と同様に、複数のタッチパネル領域を部分的にオン、オフできるようになっている。タッチパネル２５の分割されたタッチパネル領域と、バックライト・表示手段２４の分割された表示領域及びバックライトとは対応する（詳細は後述する）。
【００１８】
ハードキー２６は、スタートキー、数値キー、アプリ選択キーなどのメカ的なキースイッチであり、ユーザにより押下等される。
【００１９】
電源制御手段２３は、バックライト・表示手段２４やタッチパネル２５への電源供給を制御する。
【００２０】
操作部制御部２０は、例えばＣＰＵ（Central Processing Unit）やＳｏＣ（System On a Chip）等からなり、操作部２全般を制御する。図１の例では、この操作部制御部２０は操作部２にあるが、ＭＦＰ本体側１にあってもよい。操作部制御部２０は、ＭＦＰ制御部１０と通信を行い、操作部２を制御する。操作部２の制御には、本実施形態の特徴であるバックライト・表示手段２４の制御及びタッチパネル２５の制御を含む。これらの制御を操作部制御部２０に実行させるためのプログラムは、ＲＯＭ（Read Only Memory）２１に格納されている。操作部制御部２０は、ＲＯＭ２１からプログラムを読み出し、ワーキングメモリであるＲＡＭ（Random Access Memory）２２を使用して制御を実行する。
【００２１】
また、操作部制御部２０は、現在のモードがいずれであるか（省エネモード又は通常モード）を、ＭＦＰ制御部１０からの通知によって認識することができる。さらに、操作部制御部２０は、通常モードを認識している場合に、通常モードを細分化したパターンのどれであるかを、ユーザ操作の受け付け状態、ＭＦＰ制御部１０やその他の各デバイス（例えば画像書込手段１１や画像読取手段１２）からの通知によって認識することができる。本実施形態では、通常モードを細分化したパターンの例として、スタンバイ（所定のアプリ実行前）のとき、所定のアプリ実行中のとき、所定のアプリ実行中に他の操作を受け付けたとき、エラーが発生したとき、の４つとする。この詳細については後述する。
【００２２】
タッチパネル制御手段３０は、タッチパネル２５からデータバス２８を介して送られてくる電圧（電圧情報）を位置情報に変換するＡＤコンバータ（図示せず）と、その位置情報を解析するコントローラ（図示せず）とを有する。なお、図１では、タッチパネル制御手段３０を１つしか図示していないが、分割されたタッチパネル２５の数（図１の例では９つ）分存在する。
【００２３】
図２は、タッチパネルについて説明する図である。図２（ａ）は従来の一般的な構成を示す図であり、図２（ｂ）は本実施形態の構成を示す図である。
【００２４】
図２（ａ）について説明する。タッチパネルは、バックライト・表示手段の表示領域（表示部）の上にシートとして貼られており、タッチパネルを押した位置をＸ軸検知とＹ軸検知で検知し、座標を取得する。
【００２５】
このとき、検知は電圧の変化として読み取られ、例えば右上をタッチした場合は、Ｘ軸の電圧最大、Ｙ軸の電圧最大、左下をタッチした場合はＸ軸の電圧が最小、Ｙ軸の電圧が最小として、電圧情報が取得される。この電圧情報は、操作部制御部のタッチパネル制御手段のＡＤコンバータ（図示せず）に送られる。ＡＤコンバータは、アナログの電圧情報をデジタルの位置情報に変換し、コントローラ（図示せず）に送る。コントローラは、その位置情報を解析する。このようにして、操作部制御部は、タッチパネルのどの部分がタッチされたかを認識することができる。
【００２６】
このようなことから、操作部制御部のタッチパネル制御手段は常に稼働させておかねばならない。また、タッチパネルは、上述のように電圧の変化で読み取られるので、タッチパネルが大きい場合はそれなりの電圧がないと精度がよくならない。
【００２７】
図２（ｂ）について説明する。図２（ａ）の構成に対して本実施形態の構成では、タッチパネル２５が複数に分割されている。なお、図２（ｂ）では、分割されたタッチパネル２５、それらに対応したバックライト・表示手段２４及びタッチパネル制御手段３０をそれぞれ４つしか図示していないが、各々は図１の図示と同様に９分割されているとする。これら１枚あたりのタッチパネル２５のサイズは図２（ａ）のものに比べて小さく、必要な最大電圧も小さいものになっている。分割された各タッチパネル２５にはそれぞれ、Ｘ軸検知、Ｙ軸検知が設けられ、図２（ａ）のものと同様に動作する。これらＸ軸検知及びＹ軸検知で取得された電圧情報は、操作部制御部の各タッチパネル制御手段３０のＡＤコンバータ（図示せず）に送られ、アナログの電圧情報からデジタルの位置情報に変換された後、コントローラ（図示せず）に送られ、位置情報が解析される。このようにして、操作部制御部２０は、各タッチパネル２５においてどの部分がタッチされたかを認識することができる。
【００２８】
タッチパネル２５は、１枚ごとにタッチパネル制御手段３０を持っており、操作部制御部２０は、タッチパネル２５のいずれかを部分的にオフする場合、電源制御手段２３とタッチパネル制御手段３０を用い、該当するタッチパネル関連（タッチパネル２５自体の電源とタッチパネル制御手段３０の電源）の電源をオフにする。なお、図２（ｂ）では、例として、タッチパネル制御手段３０を、分割された各タッチパネル２５に対応して複数設けるようにしたが、１つだけ設けるようにしてもよい。
【００２９】
このように本実施形態では、タッチパネル２５が複数に分割されていることで、従来の精度のまま最大電圧を小さくすることができる。すなわち、１枚あたりのタッチパネルの大きさが小さいため、精度が従来のタッチパネルと同じ場合、最大電圧が小さくできる。
【００３０】
最大電圧が小さいと、タッチパネル制御部を含めて必要電圧を小さくすることができ、消費電力を小さくすることができる。つまり、全体的な効果としては、従来のようにタッチパネル全体をオンにしている場合に比べ、必要な機能部分のみを該当する小さなタッチパネル（電圧も小さい）のみをオンしておくことで、必要な機能部分のタッチパネルをオンにしたまま消費電力を小さくすることができる。
【００３１】
タッチパネル２５及びバックライト・表示手段２４のバックライトは、図３に示すように、機能毎にそれぞれ領域が割り当てられており、操作部制御部２０は、予め定められた図４に基づき、タッチパネル２５とバックライト・表示手段２４のバックライトをそれぞれオン、オフ制御する。図３及び図４の詳細については後述する。
【００３２】
次に、図３を参照して、本実施形態のＭＦＰがコピーモード（通常モードの一例）のときに必要となる機能について説明する。図３は、本実施形態の画像形成装置における操作部２の例を示す図である。
【００３３】
図３の一番上の図は、操作部２の正面外観を示している。この図では、一番右にハードキー２６が各種設けられており、中央にはバックライト・表示手段２４の表示領域（表示部）が設けられている。表示領域は、複数に分割されており、ここでの例では９分割としている。図３の真ん中の図は、９分割の表示領域にそれぞれ対応したバックライトを示しており、また、図３の一番下の図は、９分割の表示領域にそれぞれ対応したタッチパネルを示している。なお、図３の一番下の図において、図示を省略しているが、タッチパネルの構成は図２（ｂ）に示すように、９分割されたタッチパネル毎にＸ軸検知及びＹ軸検知が備えられている。
【００３４】
操作部２の９分割された表示領域にはそれぞれ、コピーモードのときに必要となる機能が表示される。
【００３５】
メッセージ１は、例えばジャム表示やトナー切れなどのエラーを通知するためのメッセージが表示される領域である。この領域には、バックライト１とタッチパネル１が対応している。
【００３６】
メッセージ２は、ユーザによりキャンセル設定（実行中の動作をキャンセルする設定）がされた場合のメッセージが表示される領域である。この領域には、バックライト２とタッチパネル２が対応している。
【００３７】
部数は、部数の設定操作が行われる領域であるとともに、設定された部数が表示される領域である。この領域には、バックライト３とタッチパネル３が対応している。
【００３８】
用紙サイズは、用紙のサイズ（Ａ３、Ａ４、縦横など）の設定操作が行われる領域であるとともに、設定された用紙サイズが表示される領域である。この領域には、バックライト４とタッチパネル４が対応している。
【００３９】
ステープル・ソートは、ステープルやソートの設定操作が行われる領域であるとともに、設定された状態が表示される領域である。この領域には、バックライト５とタッチパネル５が対応している。
【００４０】
カラー・モノクロは、カラーコピー又はモノクロコピーの設定操作が行われる領域であるとともに、設定された状態が表示される領域である。この領域には、バックライト６とタッチパネル６が対応している。
【００４１】
集約・両面・倍率は、集約コピー、両面コピー、倍率の設定操作が行われる領域であるとともに、設定された状態が表示される領域である。この領域には、バックライト７とタッチパネル７が対応している。
【００４２】
濃度設定は、印刷インクの濃度の設定操作が行われる領域であるとともに、設定された状態が表示される領域である。この領域には、バックライト８とタッチパネル８が対応している。
【００４３】
その他設定は、その他の設定操作（バックライトやタッチパネルのオン、オフ制御など）の設定操作が行われるエリアであるとともに、設定された状態が表示されるエリアである。この領域には、バックライト９とタッチパネル９が対応している。
【００４４】
ユーザは、コピーを行う場合、上記９分割された表示領域をタッチ操作して所望の機能の設定を行う。
【００４５】
図４は、図３で説明したコピーモード中に必要となる機能を、コピーモードを細分化した４パターン（スタンバイ（コピー開始前）のとき、コピー中のとき、コピー中に他の操作を受け付けたとき、エラーが発生したとき）毎に、どのようにオン、オフするかについて定義した例を示す図である。
【００４６】
図４に示すように、コピーモードのうちの「スタンバイ」、「コピー中」、「コピー中に他の操作を受け付け」、「エラー発生」の各パターンにおいて、タッチパネル（ＴＰ）とバックライト（ＢＬ）のオン、オフが予め定義されている。図４中において、○はオン、×はオフを示す。図４に示す定義データは、例えばＲＯＭ２１に予め格納されている。操作部制御部２０は、図４に示す定義データと、現在認識しているコピーモードのパターンとに従って、オン・オフ制御を行う。図４から明らかなように、操作部制御部２０の制御パターンとしては、タッチパネル（オン）及びバックライト（オン）、タッチパネル（オフ）及びバックライト（オフ）、タッチパネル（オン）及びバックライト（オフ）、タッチパネル（オフ）及びバックライト（オン）の４つに分けられる。
【００４７】
例えば、コピーモードが「スタンバイ」のときは、メッセージ１及びメッセージ２の表示領域に対応したタッチパネルはオフに制御され、その他の表示領域に対応したタッチパネルはオンに制御される。また、このとき、メッセージ２の表示領域に対応したバックライトはオフに制御され、その他の表示領域に対応したタッチパネルはオンに制御される。スタンバイ以外のパターンについての説明は図４に示す通りであるので省略する。
【００４８】
このように、本実施形態では、コピーモードを１つとして捉えるのではなく、コピーモードを複数のパターンに分け、パターン毎にタッチパネルのオン・オフとバックライトのオン・オフとがそれぞれ制御される。よって、所定のパターンにおいて、最適な機能のみをオンにすることで必要な機能だけを使用可能にでき、必ずしも必要でない機能がイネーブルにされることがなく、その分の消費電力が無駄となるという問題を解消できる。
【００４９】
また、本実施形態では、複数に分割された表示領域に対応したバックライトとタッチパネルに対して部分的にオン・オフ制御される。よって、表示領域全体に対応したバックライトとタッチパネルを全面的にオン・オフ制御する従来技術に比べて、消費電力を低減することを可能とする。
【００５０】
図５は、本実施形態のＭＦＰの動作の一例（本発明の画像形成装置の省電力方法の一実施形態）を示すフローチャートである。以下、図５のフロー図、及び、上述の図１〜４に従って、本実施形態の具体例を説明する。なお以下でも、通常モードの例をコピーモードとして述べるが、その他の通常モードの例である、ＦＡＸモードやスキャナモード、ドキュメント蓄積モードでも、必要な機能に応じてタッチパネルやバックライトをオン、オフするという点に関しては同様である。
【００５１】
スタートにおいて、ユーザによりコピーアプリが選ばれる。このときＭＦＰの動作状態は、省エネモードではなくコピーモードとなる。なおこのとき、操作部制御部２０は、コピーアプリが選ばれてはいるがコピー開始の操作が行われてないことにより、コピーモードのうちの「スタンバイ」であると認識する。
【００５２】
コピーモードの「スタンバイ」を認識した操作部制御部２０は、図４に示す「スタンバイ」の欄に基づいて、タッチパネル２５及びバックライト・表示手段２４のバックライトをオン、オフするように制御する（ステップＳ１）。すなわち、タッチパネルはメッセージ１とメッセージ２の領域に対応したものがオフにされ（その他の領域（機能）に対応したものはオン）、バックライトはメッセージ２の領域に対応したものだけがオフにされる（その他の領域（機能）に対応したものはオン）。
【００５３】
ユーザが所望の機能の設定を行い、コピーを開始すると、コピーモードのうちの「コピー中」になる。操作部制御部２０は、コピー開始の操作が行われたことにより、コピーモードのうちの「コピー中」であると認識する。そして、操作部制御部２０は、図４に示す「コピー中」の欄に基づいて、タッチパネル２５及びバックライト・表示手段２４のバックライトをオン、オフするように制御する（ステップＳ２）。すなわち、タッチパネルはその他設定の領域に対応したものだけがオンにされ（その他の領域（機能）に対応したものはオフ）、バックライトはメッセージ１及びメッセージ２の領域に対応したものがオフにされる（その他の領域（機能）に対応したものはオン）。
【００５４】
コピー中において何らかのエラーが発生すると、コピーモードのうちの「エラー発生」になる（ステップＳ３／ＹＥＳ）。操作部制御部２０は、例えばＭＦＰ制御部１０からエラー発生信号の通知を受けることにより、コピーモードのうちの「エラー発生」であると認識する。そして、操作部制御部２０は、図４に示す「エラー発生」の欄に基づいて、タッチパネル２５及びバックライト・表示手段２４のバックライトをオン、オフするように制御する（ステップＳ５）。図４から明らかなように、「エラー発生」の制御は、「コピー中」の制御と比べて１箇所だけ異なる。すなわち、メッセージ１の領域に対応したバックライトがオンにされる。このバックライトのオンにより、ユーザに対し、エラーが発生したことを知らせるメッセージが表示されることになる。
【００５５】
コピー中においてユーザにより何らかの他の操作が行われると、コピーモードのうちの「コピー中に他の操作を受け付け」になる（ステップＳ４／ＹＥＳ）。操作部制御部２０は、例えば割込可能な操作が行われたことにより、コピーモードのうちの「コピー中に他の操作を受け付け」であると認識する。そして、操作部制御部２０は、図４に示す「コピー中に他の操作を受け付け」の欄に基づいて、タッチパネル２５及びバックライト・表示手段２４のバックライトをオン、オフするように制御する（ステップＳ６）。図４から明らかなように、「コピー中に他の操作を受け付け」の制御は、「コピー中」の制御と比べて１箇所だけ異なる。すなわち、メッセージ２の領域に対応したバックライトがオンにされる。このバックライトのオンにより、ユーザに対し、実行中のコピーのキャンセルを知らせるメッセージが表示されることになる。実行中のコピーがキャンセルされるので、ステップＳ６の後は、ステップＳ１に戻る。
【００５６】
このように、本実施形態のＭＦＰによれば、コピーモードのときのそれぞれの状態（パターン）に応じて、こまめにバックライトやタッチパネルを制御（電源オン、オフ）することで、必要な機能を使用可能にしながら、従来に比べてより消費電力の低減に貢献できる。
【００５７】
以下、上記実施形態における変形例について説明する。
【００５８】
〔例１〕
上記実施形態において以下のような動作を加えてもよい。操作部制御部２０による制御パターンは、タッチパネル＝オン及びバックライト＝オン、タッチパネル＝オフ及びバックライト＝オフ、タッチパネル＝オン及びバックライト＝オフ、タッチパネル＝オフ及びバックライト＝オンの４つに分けられる。そこで、例えば、分割された表示領域のうち所定数の表示領域に、同じ種類の制御パターンを集約するようにしてもよい。図６にその例を示す。なお、本例の制御を行うためのプログラムは、予めＲＯＭ２１に格納されており、操作部制御部２０は、そのプログラムに従って以下に説明する制御を行う。
【００５９】
図６では、９つに分割された表示領域のうちの４つの表示領域（※の部分）を併せて、バックライト＝オン及びバックライト＝オンの制御パターンが集約されて行われている。この場合、４つの表示領域に対応したバックライト１、２、４、５及びタッチパネル１、２、４、５のみが常にオンされ、その他のバックライト３、６〜９及びタッチパネル３、６〜９は常にオフされる。常にオンされた４つの表示領域には、図４に示したコピーモードのときに必要となる機能が表示される。このとき、図４のように全ての表示領域で表示する場合よりも、表示される文字のサイズを小さくすることが好ましい。又は、上記４つの表示領域において、必要となる機能を所定間隔で順に表示していくようにしてもよい。また、必要となる機能の設定が完了した後に、上記４つの表示領域において、設定状態（設定された内容）が表示されるようにしてもよい。
【００６０】
このように、本例によれば、分割された表示領域の一部だけを使用するので、より小さな消費電力で駆動することができる。
【００６１】
〔例２〕
上記実施形態及び例１において以下のような動作を加えてもよい。図１のＲＯＭ２１内に、現在の輝度などの設定から現在の消費電力を計算できるプログラムを格納しておく。操作部制御部２０は、そのプログラムに従って、現在の消費電力を計算し、算出された消費電力と、予め設定された消費電力（予めＲＯＭ２１に格納されている）とを比較する。算出された消費電力が予め設定された消費電力より大きい場合、操作部制御部２０は、上記制御（実施形態及び例１で説明した制御のうち少なくとも１つ）を行うようにする。
【００６２】
このように、本例によれば、設定値（予め設定された消費電力）に応じた消費電力の削減を実現できる。
【００６３】
〔例３〕
上記例２において以下のような動作を加えてもよい。操作部制御部２０は、算出された消費電力が予め設定された消費電力より大きい場合に、ユーザに対して、上記制御（実施形態及び例１、例２で説明した制御のうち少なくとも１つ）が実行される設定を行うように促す表示を行う。そして、ユーザによりその設定が行われた場合に、操作部制御部２０は、上記制御（実施形態及び例１、例２で説明した制御のうち少なくとも１つ）を行うようにする。
【００６４】
このように、本例によれば、ユーザの意思に応じて上記制御の実行が決定されるので、ユーザの利便性が高まる。
【００６５】
〔例４〕
上記実施形態及び例１〜３において以下のような動作を加えてもよい。図４に示す必要となる機能は、ユーザによって多少異なる場合がある。そこで、ユーザが、分割された表示領域に割り当てられる機能を任意に変更できるようにしてもよい。操作部制御部２０は、ユーザから、現在の機能の割り当てを変更する設定を受け付けると、その設定をＲＯＭ２１に格納するとともに、その設定に従って表示を変更する。
【００６６】
このように、本例によれば、ユーザが所望の表示領域にカスタマイズできるので、ユーザの利便性が高まる。
【００６７】
以上、本発明の実施形態について説明したが、上記実施形態に限定されるものではなく、その要旨を逸脱しない範囲において種々の変形が可能である。
【００６８】
例えば、上述した実施形態における動作は、ハードウェア、または、ソフトウェア、あるいは、両者の複合構成によって実行することも可能である。
【００６９】
ソフトウェアによる処理を実行する場合には、処理シーケンスを記録したプログラムを、専用のハードウェアに組み込まれているコンピュータ内のメモリにインストールして実行させてもよい。あるいは、各種処理が実行可能な汎用コンピュータにプログラムをインストールして実行させてもよい。
【００７０】
例えば、プログラムは、記録媒体としてのハードディスクやＲＯＭ（Read Only Memory）に予め記録しておくことが可能である。あるいは、プログラムは、ＣＤ−ＲＯＭ（Compact Disc Read Only Memory）、ＭＯ（Magneto Optical）ディスク、ＤＶＤ（Digital Versatile Disc）、磁気ディスク、半導体メモリなどのリムーバブル記録媒体に、一時的、あるいは、永続的に格納（記録）しておくことが可能である。このようなリムーバブル記録媒体は、いわゆるパッケージソフトウエアとして提供することが可能である。
【００７１】
なお、プログラムは、上述したようなリムーバブル記録媒体からコンピュータにインストールする他、ダウンロードサイトから、コンピュータに無線転送してもよい。または、ＬＡＮ（Local Area Network）、インターネットといったネットワークを介して、コンピュータに有線で転送してもよい。コンピュータでは、転送されてきたプログラムを受信し、内蔵するハードディスク等の記録媒体にインストールすることが可能である。
【００７２】
また、上記実施形態で説明した処理動作に従って時系列的に実行されるのみならず、処理を実行する装置の処理能力、あるいは、必要に応じて並列的にあるいは個別に実行するように構築することも可能である。
【符号の説明】
【００７３】
１    ＭＦＰ本体
２    操作部
１０    ＭＦＰ制御部
１１    画像書込手段
１２    画像読込手段
２０    操作部制御部
２１    ＲＯＭ
２２    ＲＡＭ
２３    電源制御手段
２４    バックライト・表示手段
２５    タッチパネル
２６    ハードキー
２７    データバス
２８    データバス
２９    データバス
３０    タッチパネル制御手段
【先行技術文献】
【特許文献】
【００７４】
【特許文献１】特開２００７−２５３５７１号公報
【図１】
2011095913.tif 000003
【図２】
2011095913.tif 000004
【図３】
2011095913.tif 000005
【図４】
2011095913.tif 000006
【図５】
2011095913.tif 000007
【図６】
2011095913.tif 000008